【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
自動サンプル分析器のためのサンプルホルダシステムであって、以下：
第１のウェルストリップであって、複数のウェル、第１の端部、第２の端部、側壁、第１の係合片および第２の係合片を備え、そして該第１の係合片および第２の係合片が、該第１のウェルストリップの同じ側壁上に配置される、第１のウェルストリップ；ならびに
少なくとも第２のウェルストリップであって、複数のウェル、第１の端部、第２の端部および第２の係合片を備え、そして該第２の係合片が、該第１のウェルストリップの該第２の係合片と同じである、少なくとも第２のウェルストリップ、
を備え、ここで、該第１のウェルストリップ上に配置された該第１の係合片、および該第２のウェルストリップ上に配置された該第２の係合片は、該第１のウェルストリップを該第２のウェルストリップに可逆的に連結し、サンプルホルダシステムを形成するように相互に接続する、サンプルホルダシステム。
【請求項２】
前記第１のウェルストリップおよび前記第２のウェルストリップが、同じである、請求項１に記載のサンプルホルダシステム。
【請求項３】
前記第１のウェルストリップの前記第１の係合片が、該第１のウェルストリップの前記第１の端部に実質的に隣接して位置し、該第１のウェルストリップの前記第２の係合片が、該第１のウェルストリップの前記第２の端部に実質的に隣接して位置し、そして前記第２のウェルストリップの前記第２の係合片が、該第２のウェルストリップの前記第１の端部に実質的に隣接して位置する、請求項１に記載のサンプルホルダシステム。
【請求項４】
前記第１のウェルストリップの前記第１の係合片および前記第２の係合片が、該第１のウェルストリップの第１の側壁に位置し、そして前記第２のウェルストリップの前記第２の係合片が、該第２のウェルストリップの第２の側壁に位置する、請求項１に記載のサンプルホルダシステム。
【請求項５】
前記第１のウェルストリップの前記第１の係合片および前記第２のウェルストリップの前記第２の係合片が、該第１のウェルストリップを該第２のウェルストリップに対して水平にスライドさせることによって、可逆的にインターロックされ得る、請求項１に記載のサンプルホルダシステム。
【請求項６】
前記第１のウェルストリップの前記第１の係合片と同じである前記第２のウェルストリップの第１の係合片であって、該第２のウェルストリップの前記第２の係合片が位置する側壁と同じ側壁に位置する、前記第２のウェルストリップの第１の係合片をさらに備える、請求項１に記載のサンプルホルダシステム。
【請求項７】
前記第１の係合片が、フランジを備え、そして前記第２の係合片が、スロットおよびスリットを備える、請求項１に記載のサンプルホルダシステム。
【請求項８】
前記第１の係合片が、前記第１のウェルストリップの前記第１の端部に位置し、フランジを備え、そして前記第２の係合片が、前記第２のウェルストリップの前記第２の端部に位置し、スロットおよびスリットを備える、請求項１に記載のサンプルホルダシステム。
【請求項９】
前記第２のウェルストリップの前記第２の係合片が、スロットを備え、そして該第２のウェルストリップの前記第１の係合片が、フランジを備える、請求項６に記載のサンプルホルダシステム。
【請求項１０】
インターロック可能なウェルストリップであって、以下：
第１の壁；
第２の壁；
複数のウェル；
ウェルストリップをインターロックし得る該第１の壁の第１の係合片；および
ウェルストリップをインターロックし得る該第２の壁の第１の係合片、
を備え、ここで、該第１の壁の該第１の係合片は、該第２の壁の該第１の係合片と同じである、ウェルストリップ。
【請求項１１】
前記第１の壁の前記第１の係合片が、前記ウェルストリップの第１の端部の近くに実質的に位置し、そして前記第２の壁の前記第１の係合片が、該ウェルストリップの第２の端部の近くに実質的に位置する、請求項１０に記載のウェルストリップ。
【請求項１２】
前記第１の壁の前記第１の係合片が、前記ウェルストリップの第１の側壁に位置し、そして前記第２の壁の前記第１の係合片が、該ウェルストリップの第２の側壁に位置する、請求項１０に記載のウェルストリップ。
【請求項１３】
前記第１の壁の前記第１の係合片が、フランジを備え、そして前記第２の壁の前記第１の係合片が、フランジを備える、請求項１０に記載のウェルストリップ。
【請求項１４】
前記第１の端部における第１の壁の第２の係合片、および前記第２の端部における第２の壁の第２の係合片をさらに備える、請求項１１に記載のウェルストリップ。
【請求項１５】
自動サンプル分析器の装填容量を増加させるための方法であって、以下の工程：
少なくとも第１のウェルストリップおよび第２のウェルストリップを一緒にインターロックして、サンプルホルダシステムを形成する工程であって、該第１のウェルストリップおよび第２のウェルストリップが、複数のサンプルウェルを備える、工程、
を包含する、方法。
【請求項１６】
複数の前記サンプルホルダシステムを、前記自動サンプル分析器に装填する工程；
前記第１のウェルストリップを前記第２のウェルストリップから脱係合することによって、該サンプルホルダシステムから該第１のウェルストリップを外す工程；
該第１のウェルストリップを移動させる工程；および
該第１のウェルストリップ内の前記複数のウェル中のサンプルを分析する工程、
をさらに包含する、請求項１５に記載の方法。
【請求項１７】
複数のウェルストリップをインターロックしてサンプルホルダシステムを形成する工程が、前記第１のウェルストリップを前記第２のウェルストリップに対して水平にスライド可能に移動させて、該第１のウェルストリップと第２のウェルストリップとを係合させる工程を包含する、請求項１５に記載の方法。
【請求項１８】
前記サンプルウェルにサンプルを導入する工程をさらに包含し、ここで、該サンプルが、体液を含有する、請求項１５に記載の方法。
【請求項１９】
前記体液が、血液を含む、請求項１８に記載の方法。
【請求項２０】
前記体液が、尿を含む、請求項１８に記載の方法。
【請求項２１】
前記体液が、血清を含む、請求項１８に記載の方法。
【請求項２２】
前記サンプル分析が、前記サンプルを、凝固障害について分析する工程を包含する、請求項１６に記載の方法。
【請求項２３】
前記サンプル分析が、前記サンプルを、電解質濃度について分析する工程を包含する、請求項１６に記載の方法。
【請求項２４】
前記サンプル分析が、前記サンプルを、薬物の存在または濃度を決定するために分析する工程を包含する、請求項１６に記載の方法。
【請求項２５】
サンプルホルダシステムであって、以下：
第１のウェルストリップであって、複数のウェル、第１の側壁および第２の側壁、ならびに第１の端部および第２の端部を備える、第１のウェルストリップ；ならびに
少なくとも第２のウェルストリップであって、複数のウェル、第１の側壁および第２の側壁、ならびに第１の端部および第２の端部を備える、少なくとも第２のウェルストリップ、
を備え、該第１のウェルストリップおよび該少なくとも第２のウェルストリップの各々が、該第１の側壁の該第１の端部の第１のフランジおよび該第２の側壁の該第２の端部の第１のフランジであって、該第１の側壁の該第１の端部の該第１のフランジが、該第２の側壁の該第２の端部の該第１のフランジと同じである、該第１の側壁の該第１の端部の第１のフランジおよび該第２の側壁の該第２の端部の第１のフランジ、ならびに該第１の側壁の該第２の端部の第１のスロットおよび該第２の側壁の該第１の端部の第１のスロットであって、該第１の側壁の該第２の端部の該第１のスロットが、該第２の側壁の該第１の端部の該第１のスロットと同じである、該第１の側壁の該第２の端部の第１のスロットおよび該第２の側壁の該第１の端部の第１のスロットをさらに備え、ここで、該第１のウェルストリップの該第２の側壁の該第１のスロットおよび該第１のフランジが、該第２のウェルストリップの該第１の側壁の該第１のフランジおよび該第１のスロットとインターロックして、サンプルホルダシステムを形成する、サンプルホルダシステム。